【手続補正書】
【提出日】平成20年2月21日(2008.2.21)
【手続補正１】
【補正対象書類名】明細書
【補正対象項目名】特許請求の範囲
【補正方法】変更
【補正の内容】
【特許請求の範囲】
【請求項１】  （Ａ）テルペンフェノール樹脂を含むフェノール含有化合物を、
（ａ）下記構造：
【化１】
2004509205.tif 000001
［式中、（ｉ）Ｒ11及びＲ12は同一であるか異なり、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，３−シクロヘキサンジメタノール、１，４−シクロヘキサンジメタノール、２，２，４，４−テトラメチル−１，３−シクロブタンジオール、トリエチレングリコール又はテトラエチレングリコールの１種又はそれ以上の残基であり；
（ｉｉ）Ｒ11及びＲ12はコポリエステル中のジオール成分の１００％であり；
（ｉｉｉ）Ｒ13は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれ；且つ（ｉｖ）Ｒ14はＣ6〜Ｃ10アリール並びにハロ、Ｃ1〜Ｃ4アルキル及びＣ1〜Ｃ4アルコキシからなる群から独立に選ばれる１〜４個の置換基で置換されたＣ6〜Ｃ10アリールからなる群の１種又はそれ以上から選ばれる］
の反復単位を有する脂肪族−芳香族コポリエステル；
（ｂ）下記構造：
【化２】
2004509205.tif 000002
［式中、ｍは０〜１０の整数であり；
Ｒ10は水素；Ｃ1〜Ｃ12アルキル；ハロ、Ｃ6〜Ｃ10アリール及びＣ1〜Ｃ4アルコキシからなる群から独立に選ばれる１〜４個の置換基で置換されたＣ1〜Ｃ12アルキル；Ｃ5〜Ｃ10シクロアルキル；並びにハロ、Ｃ6〜Ｃ10アリール及びＣ1〜Ｃ4アルコキシからなる群から独立に選ばれる１〜４個の置換基で置換されたＣ5〜Ｃ10シクロアルキルからなる群から選ばれ；
Ｒ8はＣ2〜Ｃ12アルキレンもしくはＣ2〜Ｃ12オキシアルキレン；ハロ、Ｃ6〜Ｃ10アリール及びＣ1〜Ｃ4アルコキシからなる群から独立に選ばれる１〜４個の置換基で置換されたＣ2〜Ｃ12アルキレンもしくはＣ2〜Ｃ12オキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群から選ばれ；
Ｒ9は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれる］
の１種又はそれ以上の反復単位を有する脂肪族ポリエステル；又は
（ｃ）置換度が２．５又はそれ以下のＣ1〜Ｃ10セルロースエステル
のうち１種又はそれ以上を含む、
生分解性ポリマー又は生分解性ポリマー組成物の分解速度を減速するのに充分な量で生分解性ポリマー又は生分解性ポリマー組成物中に導入し；そして
（Ｂ）前記フェノール含有化合物を前記生分解性ポリマー又は前記生分解性ポリマー組成物と混合する
ことを含んでなる生分解性ポリマー又は生分解性ポリマー組成物の分解速度の減速方法。
【請求項２】  前記テルペンフェノール樹脂が、前記フェノール含有化合物の重量基準で、１〜４０重量％のフェノールを含む請求項１に記載の方法。
【請求項３】  前記テルペンフェノール樹脂が、前記フェノール含有化合物の重量基準で、５〜２０重量％のフェノールを含む請求項１に記載の方法。
【請求項４】  前記フェノール含有化合物が、生分解性ポリマー又は生分解性ポリマー組成物の総重量基準で、０．５〜１０重量％の量で生分解性ポリマー又は生分解性ポリマー組成物中に存在する請求項１に記載の方法。
【請求項５】  前記フェノール含有化合物が、生分解性ポリマー又は生分解性ポリマー組成物の総重量基準で、１〜３重量％の量で生分解性ポリマー又は生分解性ポリマー組成物中に存在する請求項１に記載の方法。
【請求項６】  前記生分解性ポリマー又は生分解性ポリマー組成物が脂肪族−芳香族コポリエステルを含み；Ｒ11及びＲ12が同一であるか異なり、グリコール、プロピレングリコール、１，３−プロパンジオール又は１，３−ブタンジオール及び１，４−ブタンジオールの１種又はそれ以上の残基からなる群から選ばれ；Ｒ13がマロン酸、コハク酸、グルタル酸、アジピン酸、ピメリン酸、２，２−ジメチルグルタル酸、ジグリコール酸及びそれらのエステル形成性誘導体からなる群から選ばれ；且つＲ14が１，４−テレフタル酸、１，３−テレフタル酸、２，６−ナフトエ酸、１，５−ナフトエ酸及びそれらのエステル形成性誘導体の１種又はそれ以上からなる群から選ばれる請求項１に記載の方法。
【請求項７】  前記生分解性ポリマー又は生分解性ポリマー組成物が顔料、染料、不透明化剤、酸化防止剤、紫外線安定剤、螢光増白剤、脂肪酸、金属塩、帯電防止剤、粘着防止剤、充填剤、分散助剤、被覆助剤、スリップ剤、滑剤、澱粉、木材及び小麦粉の１種又はそれ以上を含む請求項１に記載の方法。
【請求項８】  （Ａ）フェノール含有化合物を、
（ａ）下記構造：
【化３】
2004509205.tif 000003
［式中、（ｉ）Ｒ11及びＲ12は同一であるか異なり、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，３−シクロヘキサンジメタノール、１，４−シクロヘキサンジメタノール、２，２，４，４−テトラメチル−１，３−シクロブタンジオール、トリエチレングリコール又はテトラエチレングリコールの１種又はそれ以上の残基であり；
（ｉｉ）Ｒ11及びＲ12はコポリエステル中のジオール成分の１００％であり；
（ｉｉｉ）Ｒ13は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれ；且つ（ｉｖ）Ｒ14はＣ6〜Ｃ10アリール並びにハロ、Ｃ1〜Ｃ4アルキル及びＣ1〜Ｃ4アルコキシからなる群から独立に選ばれる１〜４個の置換基で置換されたＣ6〜Ｃ10アリールからなる群の１種又はそれ以上から選ばれる］
の反復単位を有する脂肪族−芳香族コポリエステル；
（ｂ）下記構造：
【化４】
2004509205.tif 000004
［式中、ｍは０〜１０の整数であり；
Ｒ10は、水素；Ｃ1〜Ｃ12アルキル；ハロ、Ｃ6〜Ｃ10アリール及びＣ1〜Ｃ4アルコキシからなる群から独立に選ばれる１〜４個の置換基で置換されたＣ1〜Ｃ12アルキル；Ｃ5〜Ｃ10シクロアルキル；並びにハロ、Ｃ6〜Ｃ10アリール及びＣ1〜Ｃ4アルコキシからなる群から独立に選ばれる１〜４個の置換基で置換されたＣ5〜Ｃ10シクロアルキルからなる群から選ばれ；
Ｒ8はＣ2〜Ｃ12アルキレンもしくはＣ2〜Ｃ12オキシアルキレン；ハロ、Ｃ6〜Ｃ10アリール及びＣ1〜Ｃ4アルコキシからなる群から独立に選ばれる１〜４個の置換基で置換されたＣ2〜Ｃ12アルキレンもしくはＣ2〜Ｃ12オキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群から選ばれ；
Ｒ9は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれる］
の１種又はそれ以上の反復単位を有する脂肪族ポリエステル；又は
（ｃ）置換度が２．５又はそれ以下のＣ1〜Ｃ10セルロースエステル
のうち１種又はそれ以上を含む、
生分解性ポリマー又は生分解性ポリマー組成物の分解速度を減速するのに充分な量で生分解性ポリマー又は生分解性ポリマー組成物中に導入し；そして
（Ｂ）そのフェノール含有化合物を前記生分解性ポリマー又は生分解性ポリマー組成物と混合する
ことを含んでなる生分解性ポリマー又は生分解性ポリマー組成物の分解速度の減速方法。
【請求項９】  前記フェノール含有化合物がテルペンフェノール樹脂、ポリビニルフェノール、フェノール系酸化防止剤及び加水分解時にフェノールを放出できる物質の１種又はそれ以上を含む請求項８に記載の方法。
【請求項１０】  前記フェノール含有化合物が４，４’−チオ−ビス（２−ｔ−ブチル−５−メチルフェノール）、ポリマーアルキル化フェノール、２，５−ジ−ｔ―アミルヒドロキノン、１，１−ジ−（２−メチル−４−ヒドロキシ−５−ｔ−ブチルフェニル）ブタン及び１，１’−チオ−ビス（２−ヒドロキシナフタレン）の１種又はそれ以上のフェノール系酸化防止剤を含む請求項９に記載の方法。
【請求項１１】  前記フェノール含有物質がジフェニル−イソデシルホスフィット、ジイソデシルフェニルホスフィット、トリス（ｐ−ノニルフェニル）ホスフィット、及びトリス［３−メチル−４−（２−メチル−４−ヒドロキシ−５−ｔ−ブチルフェニルチオ）−６−ｔ−ブチル）ホスフィットの１種又はそれ以上の加水分解時にフェノールを放出できる物質を含んでなる請求項８に記載の方法。
【請求項１２】  前記フェノール含有物質がテルペンフェノール樹脂、フェノール系酸化防止剤又は加水分解時にフェノールを放出できる物質を含み、この物質が、前記フェノール含有化合物の重量基準で、１〜４０重量％のフェノールを含む請求項８に記載の方法。
【請求項１３】  前記フェノール含有化合物がテルペンフェノール樹脂、フェノール系酸化防止剤又は加水分解時にフェノールを放出できる物質を含み、この物質が、前記フェノール含有化合物の重量基準で、５〜２０重量％のフェノールを含む請求項８に記載の方法。
【請求項１４】  前記フェノール含有化合物がポリビニルフェノールを含み、このポリビニルフェノールが、フェノール含有化合物の重量基準で、７７．５重量％又はそれ以下のフェノールを含む請求項８に記載の方法。
【請求項１５】  前記フェノール含有化合物が、生分解性ポリマー又は生分解性ポリマー組成物の総重量基準で、０．２〜１０重量％の量で生分解性ポリマー又は生分解性ポリマー組成物中に存在する請求項８に記載の方法。
【請求項１６】  前記フェノール含有化合物が生分解性ポリマー又は生分解性ポリマー組成物の総重量基準で、１〜３重量％の量で生分解性ポリマー又は生分解性ポリマー組成物中に存在する請求項８に記載の方法。
【請求項１７】  前記生分解性ポリマー又は生分解性ポリマー組成物が顔料、染料、不透明化剤、酸化防止剤、紫外線安定剤、螢光増白剤、脂肪酸、金属塩、帯電防止剤、粘着防止剤、充填剤、分散助剤、被覆助剤、スリップ剤、滑剤、澱粉、木材及び小麦粉の１種又はそれ以上を含む請求項８に記載の方法。
【請求項１８】  （Ａ）（ａ）下記構造：
【化５】
2004509205.tif 000005
［式中、（ｉ）Ｒ11及びＲ12は同一であるか異なり、ジエチレングリコール、プロピレングリコール、１，３−プロパンジオール、２，２−ジメチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、チオジエタノール、１，３−シクロヘキサンジマタノール、１，４−シクロヘキサンジメタノール、２，２，４，４−テトラメチル−１，３−シクロブタンジオール、トリエチレングリコール又はテトラエチレングリコールの１種又はそれ以上の残基であり；
（ｉｉ）Ｒ11及びＲ12はコポリエステル中のジオール成分の１００％であり；
（ｉｉｉ）Ｒ13は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれ；且つ（ｉｖ）Ｒ14はＣ6〜Ｃ10アリール並びにハロ、Ｃ1〜Ｃ4アルキル及びＣ1〜Ｃ4アルコキシからなる群から独立に選ばれる１〜４個の置換基で置換されたＣ6〜Ｃ10アリールからなる群の１種又はそれ以上から選ばれる］
の反復単位を有する脂肪族−芳香族コポリエステル；
（ｂ）下記構造：
【化６】
2004509205.tif 000006
［式中、ｍは０〜１０の整数であり；
Ｒ10は水素；Ｃ1〜Ｃ12アルキル；ハロ、Ｃ6〜Ｃ10アリール及びＣ1〜Ｃ4アルコキシからなる群から独立に選ばれる１〜４個の置換基で置換されたＣ1〜Ｃ12アルキル；Ｃ5〜Ｃ10シクロアルキル；並びにハロ、Ｃ6〜Ｃ10アリール及びＣ1〜Ｃ4アルコキシからなる群から独立に選ばれる１〜４個の置換基で置換されたＣ5〜Ｃ10シクロアルキルからなる群から選ばれ；
Ｒ8はＣ2〜Ｃ12アルキレンもしくはＣ2〜Ｃ12オキシアルキレン；ハロ、Ｃ6〜Ｃ10アリール及びＣ1〜Ｃ4アルコキシからなる群から独立に選ばれる１〜４個の置換基で置換されたＣ2〜Ｃ12アルキレンもしくはＣ2〜Ｃ12オキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群から選ばれ；
Ｒ9は存在しないか、又はＣ1〜Ｃ12アルキレンもしくはオキシアルキレン；ハロ、Ｃ6〜Ｃ10アリール及びＣ1〜Ｃ4アルコキシからなる群から独立に選ばれる１〜４個の置換基で置換されたＣ1〜Ｃ12アルキレンもしくはオキシアルキレン；Ｃ5〜Ｃ10シクロアルキレン；並びにハロ、Ｃ6〜Ｃ10アリール及びＣ1〜Ｃ4アルコキシからなる群から独立に選ばれる１〜４個の置換基で置換されたＣ5〜Ｃ10シクロアルキレンからなる群の１種又はそれ以上から選ばれる］
の１種又はそれ以上の反復単位を有する脂肪族ポリエステル；又は
（ｃ）置換度が２．５又はそれ以下のＣ1〜Ｃ10セルロースエステル
の１種又はそれ以上を含む、
生分解性ポリマー又は生分解性ポリマー−第２物質組成物；及び
（Ｂ）生分解性ポリマー又は生分解性ポリマー−第２物質組成物中に取り込まれたテルペンフェノール樹脂を含むフェノール含有化合物
を含んでなる生分解性ポリマー組成物であって、このフェノール含有化合物が、前記生分解性ポリマー又は生分解性ポリマー−第２物質組成物の分解速度を減速するのに充分な量で存在する生分解性ポリマー組成物。
【請求項１９】  前記生分解性ポリマー又は生分解性ポリマー−第２物質組成物が脂肪族−芳香族コポリエステルを含んでなり；Ｒ11及びＲ12が同一であるか異なり、グリコール、プロピレングリコール、１，３−プロパンジオール又は１，３−ブタンジオール及び１，４−ブタンジオーの１種又はそれ以上の残基からなる群から選ばれ；Ｒ13がマロン酸、コハク酸、グルタル酸、アジピン酸、ピメリン酸、２，２−ジメチルグルタル酸、ジグリコール酸及びそれらのエステル形成性誘導体からなる群から選ばれ；且つＲ14が１，４−テレフタル酸、１，３−テレフタル酸、２，６−ナフトエ酸、１，５−ナフトエ酸及びそれらのエステル形成性誘導体の１種又はそれ以上からなる群から選ばれる請求項１８に記載の生分解性ポリマー組成物。
【請求項２０】  前記フェノール含有化合物が、フェノール含有化合物の重量基準で、１〜４０重量％のフェノールを含んでなる請求項１８に記載の生分解性ポリマー組成物。
【請求項２１】  前記フェノール含有化合物が、前記生分解性ポリマー組成物の重量基準で、０．５〜１０重量％の量で生分解性ポリマー組成物中に存在する請求項１８に記載の生分解性ポリマー組成物。
【請求項２２】  前記フェノール含有化合物が、前記生分解性ポリマー組成物の重量基準で、１〜３重量％の量で生分解性ポリマー組成物中に存在する請求項１８に記載の生分解性ポリマー組成物。
【請求項２３】  顔料、染料、不透明化剤、酸化防止剤、紫外線安定剤、螢光増白剤、脂肪酸、金属塩、帯電防止剤、粘着防止剤、充填剤、分散助剤、被覆助剤、スリップ剤、滑剤、澱粉、木材及び小麦粉のうち１種又はそれ以上をさらに含む請求項１８に記載の生分解性ポリマー組成物。